(57)【要約】【課題】演奏者の目の前からピアノ弦とフレームの共鳴音が直接聞くことが出来、重量は軽く奥行きも狭い、音量も調節出来る、支柱を不要とした、環境に優しいピアノ。【解決手段】前面の鍵盤１０の上側と下側に響板４ａ４ｂを垂直にパネル状に設置し、鍵盤の隙間に切り込み１１を設け、その間に固く薄い桟１４を通し、上響板４ａと下響板４ｂとをその桟で継ぎ、一枚の広い面積の響板４状態とする。駒６と響板４とを振動伝達部材１６で架け渡して設ける。フレームの前側、後側に薄く高い柱７ａ７ｂを設け、フレームの周囲は平面に直角に近い角度の幅広い帯状の枠７ｃを配置する、裏側には更に補強部材７ｄを設け、支柱を用いず、フレームは硬度の素材を使用し、弦振動に共鳴する薄く、軽い、強固な、駒留めを有するフレーム。駒６と響板４と連結したり、連結を解除する事で音量調節が出来、前面から鮮明な音の出るピアノ。【選択図】  図１
2004233943.tif 000002
【特許請求の範囲】
【請求項１】
ピアノ前面の鍵盤（１０）の上側に上響板（４ａ）と鍵盤（１０）の下側に、下響板（４ｂ）を設置し、鍵盤の隙間に切り込み（１１）を設け、その間に上響板（４ａ）に設置した固く薄い継ぎ桟（１４）を通し、下響板に設けた止木（２４）に固定することにより、面積の広い一枚の響板（４）を形成し、駒（６）と響板（４）とを振動伝達部材（１６）で架け渡して設け、駒（６）と響板（４）とを連結したり、解除したりして音量調節を可能としたピアノ。
【請求項２】
フレーム（７）に薄く高い柱を前側（７ａ）と後側（７ｂ）に設け、フレーム（７）の周囲を前側、後側に、平面に対して直角に近い角度で、幅広く帯びのような枠状（７ｃ）に配置し、更に、裏側に補強部材（７ｄ）を設け、太い木の支柱（２）が無くとも弦張力や、衝撃に耐えるピアノフレーム。
【請求項３】
請求項１記載の響板（４）とは隔離状態の駒（６）は弦振動とともに前後に振動しても、一定の振動弦長を保持し、駒（６）が上下に移動しない様に、位置安定の駒留め（１５）を設け、駒（６）と駒留め（１５）との間に防振材を設けたピアノフレーム。
【発明の詳細な説明】
【０００１】
【発明の属する技術分野】
本発明は、アップライトピアノに関する。
【０００２】
【従来の技術】
従来のアップライトピアノ図７縦断面では響板４は本体の裏側において、垂直に配置している、図８斜視図のフレーム裏側は平らで柱は無い、鍵盤１０を打鍵するとアクション１２が作動し、ハンマー１３が弦５を打つと、弦振動が駒６を介して密着した響板４に伝わり弦振動の音を響板４は増幅する。音は背後から回って前へ出てくる。響板４は支柱２に設けた打廻し３に設置され、フレーム７は響板４と僅かな隙間をおいて支柱２に設置してある。普通のピアノは、中音部、高音部では弦３本で一つの音が出る構造である。一台のピアノで約２２０本の弦が張ってあり、その弦張力をフレームと支柱で支えている。従って重量も約２００キロ以上もある。奥行きも有り重く、据置するに、床工事が必要な場合が有る。移動も大変である。
【０００３】
【発明が解決しょうとする課題】
従来のピアノには次の様な欠点が有る。響板が裏側にあるため、音が裏側から回り込んで前へ出るようになる。据置場所が吸音材を多量に使用してある部屋では、音は吸収され音量は小さく聞こえる、周囲がコンクリートの様な固い材質で覆われた部屋では、音が跳ね返り、反復が続くと残響が多すぎ、正確な音を聞き取るのは困難である。裏側から出る音は多方面にぶつかり合い、吸収され迂回して音量、音質も違って聞こえる場合が多い。
【０００４】
ピアノの背面を室内の壁に接近して据置するのが普通である。裏側の響板から出る大きい音は、その裏側の壁や床等建物に伝わり、隣接の部屋に伝わる、集合住宅では隣室が他家の場合迷惑になりかねない。鍵盤を叩いても音の出ない装置のヘットホンピアノも有るが、振動音が多量の空気を伝わり、皮膚等、体全体で音を感じるものとは違い実感が得られない。
【０００５】
普通のピアノは約２トンの強い弦張力に耐える丈夫な構造に造られいるので、重量は約２００ｋｇ以上有り、据置するには床工事が必要な場合も多い。ピアノの音量も８５デシベル乃至９５デシベル程度の大きい音が出るので、防音カプセルの中にピアノを据置したり、防音工事が理想である。
【０００６】
【課題を解決するための手段】
響板４をピアノの前面に設置し、演奏者の眼前からピアノの音が出る構造にした場合、大音量は必要無く、重量も出来る限り軽く出来ればその方が良い。移動もたやすい。
【０００７】
ピアノの前面に設置した響板４から出る音量は演奏者が疲労しない適度な大きさが求められる、普通のピアノの場合、中、高音部は３弦で一音図５（ト）であるが、２弦で一音、図５（ヘ）に配置し、全体の弦数を少なくした場合、総張力は約３分の２となり、その分フレーム７の厚みは薄くなり、重量もその分軽くなる、又、フレームの材質を固く、普通のピアノはＪＩＳ規格ＦＣ１５０乃至２００で鋳造しているが、ＦＣＤ４００で鋳造した場合、強度は約２倍強と固く丈夫になるので、その分フレーム７は更に薄く、軽く、鋳造しても強度は充分保てる。
【０００８】
弦５と共に振動する駒６は、響板４とかけ離れた位置に配置し、駒６と響板４とは振動伝達部材１６で架け渡す装置になっている。駒６に架け渡された振動する弦５は、必要な弦長を保つ必要性が有る。図１・図２駒６が弦長を変えない、即ち、上下に移動出来ないように、フレーム７に駒留め１５が設けられている。駒６は弦振動と共に前後に振動しても、上下に移動してはならない、上下に移動すると振動する弦５の長さが変化してしまう、弦５の長さが変化すると、振動数が変わってしまい、それは音程が変わることになる。更に駒６の振動がフレーム７に伝わらないように、駒留め１５に防振材２１を設けてある。この防振材２１は駒６の振動を妨げない。
【０００９】
図８の斜視図で示された従来のピアノフレーム７の裏側には柱は無かったが、図３（イ）７ｂに示すようにこのピアノの裏側には薄く高い柱がある、フレーム７の前側図３（ロ）７ａも薄く高い柱を設置し、弦張力を保つに必要な、前側の柱が充分な高さを設ける事が出来ない部分では、その不足分を、裏側の柱７ｂを丈夫にして、補う事ができる。又、裏側に補強部材図３（イ）７ｄを、更に設ける。
【００１０】
図３のフレームの周囲を、平面に対して直角に近い角度で、幅広の帯の様な枠状図３（イ）（ロ）７ｃに配置することにより、弦張力や衝撃にも耐えるフレーム７の構造は、図７従来のピアノの太く重い支柱２はなくとも図１ピアノ１に支障はない。幾分虚弱に見えるが、周囲の丈夫なケース２０と、裏板２６で補強する。支柱の無い分奥行きは少なく、重量は軽くなる。
【００１１】
普通のピアノに用いられるフレーム７の材質は、ＦＣのねずみ鋳鉄であるが、このピアノ図１では、硬度の素材を用いる他に、合金を混入して鋳造する事により、フレームの合金独特な、弦振動による個性的な共鳴音が得られる。
【００１２】
図１で示す周囲の丈夫なケース２０と裏板２６に数本のネジでケース内部に固定したフレーム７は、吊るしたトライアングルの様に、弦振動と共に良く共鳴し、その音は、上響板４ａと天板２０との間１９からパネルに設けた通音孔２３を抜けて演奏者に伝わる。
【００１３】
上響板４ａの裏側に接着した響棒１８の下部側面に、厚み約４ミリ前後、幅約２５ミリ位の、下響板４ｂの止木図４（ニ）２４の下部迄届く長さに加工した繋ぎ桟１４を取り付け、図４（ハ）鍵盤１０の隙間に切り込み１１を設け、その隙間の間に、その継ぎ桟１４を通す。上響板４ａから延長した繋ぎ桟に、ネジ止めするに適した位置に、下響板４ｂの上側表面に止木図４（ニ）２４を設置し、上響板４ａから延長した繋ぎ桟１４を止木２４にネジ止めして固定し、図４（ホ）上下響板を一枚の働きをする大きい響板４にする。
【００１４】
前記響板４は着、脱が可能である。ケース内部に設置した打ち廻し３に、響板４をはめ込み、響板４の周囲を打ち廻し３に固くネジ止めし、響板４とケースとを完全に密着する。又、全く違った性質の構造を持つ響板４と入れ替えが可能で、違った特徴を持つ響板４に交換した場合、音色、音量も違ってくる。特徴ある好みの音色を保持する響板４を選び、取付け演奏すると違った感じの音楽を鑑賞することが出来る。
【００１５】
図６響板４と駒６とを振動伝達部材１６で連結したり、解除したりすると音量調節が自由に出来る。解除した場合には、図１響板４からは音は出ない。本体内部のピアノ弦５振動と、共鳴に依るフレーム７の音が上響板４ａと、天板２０の間１９から聞こえ、更に音を小さくするには、パネル２２の通音孔２３を塞いてしまえば更に音は小さくなる。
【００１６】
図１のピアノ本体１裏板２６は上下、左右からの衝撃に耐える丈夫な材質で周囲のケースに固定し、その裏板全面を塞いでしまうと、本体の裏側ピアノの後ろ側にはピアノの音が大きく聞こえない。裏側にもピアノの音が聞こえる方が良い場合には、塞いだ裏板に通音孔を設ければ良い（通音孔は図示せず）。
【００１７】
【発明の実施の形態】
請求項１に係わるピアノでは、図１の前面の鍵盤１０の上部に上響板４ａと鍵盤１０の下側に下響板４ｂを設置し、鍵盤の隙間に切り込み１１を設け、その間に上響板４ａに接置した固く薄い継ぎ桟１４を通し、下響板４ｂ上部に設けた止木２４に上響板４ａに取り付けた繋ぎ桟１４を固定すると、面積の広い一枚の響板４になる。駒６と響板４とを振動伝達部材１６で架け渡して設け、駒６と響板４とを連結したり、解除したりして音量調節が可能としたピアノ。
【００１８】
請求項２では、図３のフレーム板７に対して約直角に、前側、後側、に薄く高い柱７ａ７ｂを設け、フレーム７の周囲を平面に対して約直角に、幅広く帯びの様な枠状７ｃに配置し、更に裏面には補強部材７ｄを設け、張力や衝撃に耐えられる構造のフレーム。
【００１９】
請求項３については図１・２の本体内部に所定数の弦５をまたぐように張架された駒６は、弦５の振動と共に前後に振動しても、一定の振動弦長を保持しなくてはならない。駒６が上下に移動しない様に、フレームに駒留め１５が設けられ、駒６と駒留め１５との間に防振材２１が設けられている。この防振材は駒の振動を妨げない。
【００２０】
【実施例】
以下添付図面図１〜図６に従って、実施例を説明する。図１において鍵盤１０を打鍵すると本体内部のアクション１２が始動し、ハンマー１３が弦５を打つ、フレーム７に埋設されたチウニングピン８とヒッチピン９とに張架された弦５は振動し、弦振動は駒に伝わり同時に駒６は弦５と共に振動する。
【００２１】
図１の前面の鍵盤１０の隙間に切り込み１１を設け、その間に、上響板４ａの裏側に接着した響棒１８の下側脇に設置した固く薄い継ぎ桟１４を通し、鍵盤１０の上側に上響板４ａを設置し、下響板４ｂ上側に設けられた止木２４に継ぎ桟１４をネジ止めし固定することにより、面積の広い一枚の響板４を形成する。
【００２２】
図１の駒６と響板４とは振動伝達部材１６で架け渡され、弦振動に依って振動する駒６の振動が響板４に伝わり、響板４は弦振動を増幅し、ピアノの前面の演奏者に、鮮明に聞こえる。
【００２３】
前記の駒６と響板４とを振動伝達部材１６で連結したり、連結を解除することで音は小さくなる。連結を解除すると駒６の振動が響板４に伝わらないので、響板４から音は出ない。弦振動と、フレーム７の共鳴音が、上響板４ａと天板２０の間、内部空間１９から音が出る。パネルの通音孔２３を塞ぐ事により、更に音は小さくなる。
【００２４】
図６に示すように響板４に穴をあけて各穴内にリング状の防振材２１をそれぞれはめ、各防振材２１内に前方からねじ棒２７を通している、ねじ棒２７につまみ２８をとりつけ、その先端にネジを切ってある。振動伝達部材１６の前端に雌ねじを切って雌ねじにねじ棒２７をねじ込んでいる、つまみ２８を右に廻すと弦５と駒６の振動は響板４に伝わり響板４は弦振動を増幅し音が出る（リ）。つまみ２８を左に廻しねじを緩めると響板４には弦５と駒６の振動は伝わらず、響板４からは音は出ない（チ）。駒６と響板との連結したり解除する方法はその外のやり方でもよい。
【００２５】
図１の音は前面からのみ発音し、裏側から音は出ない、音量を小さくした場合、裏側での音量はかなり小さくなる。裏側にもピアノの音が聞こえる方が良い場合には、裏板２６に通音孔を設ければよい（通音孔は図示せず）。
【００２６】
図２のフレーム７の形は必要な部分の面積を残して形成したもので、余分な部分を省き、極力弦張力や衝撃に耐えられる、華奢な構造である。
【００２７】
図３（ロ）はフレームの前側に薄く柱７ａを高くしてある。図８に示す従来のピアノのようなフレームの裏側は平らで柱は無く、又、面積も広くしてある。図３（イ）に示すようにこのピアノのフレーム７の裏側には柱７ｂを設けることが出来る。前側の柱７ａの高く出来ない箇所では、その後側近辺に、それを補う分、柱７ｂを太くしたりして、強固なものにする。図３に示すフレームの周囲も、フレーム７の平面に対して直角に近い角度で幅広く帯のような枠状７ｃを設置し、更にフレーム７の弱い箇所ではその後側に補強部材７ｄを設け、強固なフレームを形成する。
【００２８】
図２に示すハンマーの打弦の衝撃で弦と共に振動する駒６は、前後に振動しても、上下に移動してはならない。上下に移動すると振動弦長が変化してしまい、振動数、音程に違いが生じてしまう。駒６が上下の移動をしないように、固定する駒留め１５をフレーム７に設けてある。この駒留め１５には、駒の振動がフレームに伝わらない様に防振材２１が取り付けてある。この防振材は駒６の振動を妨げない材質である。
【００２９】
図５の（ヘ）は駒６に埋設された駒ピン１７に弦５が張架された一部拡大した駒の部分図である。２本の弦で一音が、くの字型と逆くの字型に、駒ピンに張架され、その弦の形が向き合う様に配置している、図５（ト）に示す従来のピアノでは駒６に全体が同じ向きで弦５を張弦しているので、駒６全体に捩れ現象が生じてしまう、図５（ヘ）はそれを予防する配置にしたものである。
【００３０】
【発明の効果】
本発明に係わるピアノにおいては、弦振動に依る響板の音と、弦振動に共鳴するフレームの共鳴音とが、演奏者の目の前から鮮明に聞くことが出来る。それは演奏会でコンサートピアノの大屋根を全開にして聞く音、音色に近似している。フレームの素材に合金を混入して鋳造して出来たピアノの音は、合金の材質の違いに依って微妙に違ってくる、例えば、金の鈴、銀の鈴、それぞれが違う音色を保有している。ピアノは極端に違わないまでも、特色ある音色を保持するする事ができる。音量も、ピアノの裏側を塞ぎ、駒と響板との連結を解除すると、響板から音は出ないので、周囲での音量は小さい。弦の振動音とフレームの共鳴音がピアノの上部から聞こえ、周囲で聞く音は小さくとも、演奏者には聞こえる、パネルの通音孔を塞ぐとさらにピアノの音は小さくなり、周囲からは聞こえ難くなり、気兼ねなく、極く小さな音で指の練習等が出来る。
【００３１】
従来のピアノと違い、響板は前面に設置してあるので、フレームの裏側に出っ張る形で高い柱や、補強の桟を設けることが出来る。フレームの材質を硬度の素材を使用し鋳造すると、フレームは薄く出来、太く、大きな、重い支柱は不要で、奥行きも狭く、重量はかなり軽くなる。床の補強の心配は無く、防音室も無くて済む。移動もたやすい。金額も、普通のピアノより安価に出来る、しかし、フレームの材質等、特殊の材料を使用すると高値になる場合もある。
【図面の簡単な説明】
【図１】は発明の内容の全体を示す縦断面図である。
【図２】はフレームの正面図である。
【図３】（イ）（ロ）は、フレームの斜視図（前側・後側）である。
【図４】（ハ）（ニ）（ホ）は、上・下とのの継ぎ桟の説明で、（ハ）は鍵盤の切り込みに継ぎ桟を通した図、（ニ）は上下響板を継いだ図（ホ）は（ニ）の側面図である。
【図５】（ヘ）（ト）は駒の一部分を示す簡略図で、（ヘ）は本発明を示し（ト）は従来例を示す。
【図６】（チ）（リ）は駒と響板とを連結したり、解除したりする部分図であり（チ）は解除した図で（リ）は連結した図である。
【図７】従来のピアノの縦断面図である。
【図８】従来のピアノのフレームの斜視図である。
【符号の説明】
１ピアノ  ２支柱  ３打ち廻し  ４響板  ４ａ上響板  ４ｂ下響板  ５弦
６駒  ７フレーム  ７ａフレーム前側柱  ７ｂフレーム後側柱  ７ｃ枠状フレーム  ７ｄ補強部材  ８チゥニングピン  ９ヒッチピン  １０鍵盤  １１切り込み
１２アクション  １３ハンマー  １４継ぎ桟  １５駒留め  １６振動伝達部材
１７駒ピン  １８響棒  １９内部空間  ２０天板、ケース  ２１防振材  ２２パネル  ２３通音孔  ２４止木  ２５止めネジ  ２６裏板  ２７ねじ棒  ２８つまみ
【図１】
2004233943.tif 000003
【図２】
2004233943.tif 000004
【図３】
2004233943.tif 000005
【図４】
2004233943.tif 000006
【図５】
2004233943.tif 000007
【図６】
2004233943.tif 000008
【図７】
2004233943.tif 000009
【図８】
2004233943.tif 000010